(57)【特許請求の範囲】
【請求項１】
前方部３と後方部５に分割可能なマット２を備え、前方部３が使用者の上半身を支持しつつ水平状態から傾斜した正立状態に移動可能であり、前記前方部３と後方部５の下方に便器２０が配置された排便機構付ベッドシステムにおいて、
便器２０に便座支持機構２９を配置し、この便座支持機構２９に設置した便座２８を上昇させて、便座２８に座った使用者をマット２の前方部３に沿って上方に移動させるように形成し、上昇する便座２８に合わせて、突出した肘掛１２をこれが上昇するように移動させる力が加えられるように形成した排便機構付ベッドシステム。
【請求項２】
ベッド基台１の上に、前方部３と後方部５に分割可能なマット２を備え、前方部３が使用者の上半身を支持しつつ水平状態から傾斜した正立状態に移動可能であり、前記前方部３と後方部５の下方に便器２０が配置された排便機構付ベッドシステムにおいて、
便器２０内に配置した便座支持機構２９は、基部アーム３０の基部３１をベッド基台１に、所定の角度範囲，所定の速度で回動可能で、所定の位置に停止できるように形成し、基部アーム３０の先端部に湾曲アーム３３の基端部３４を、所定の角度範囲，所定の速度で回動可能で、所定の位置で停止できるように形成し、湾曲アーム３３の先端には便座２８を設け、マット２の前方部３に起伏可能に設けた肘掛１２は、マット２の前方部３に沿って上方に移動する便座２８の速度に合った速度で上昇できるように形成した排便機構付ベッドシステム。
【発明の詳細な説明】
【０００１】
【発明の属する技術分野】
本発明は、身体的傷害等により排泄行動が不自由な人のための排便機構付ベッドシステムに関する。
【０００２】
【従来の技術】
排便機構付ベッドシステムは、種々存在し、本出願人が出願し、特開平７ー５１３２４号公報として公開されたトイレ付きベッドシステムがある。
【０００３】
前記公開公報に記載されたトイレ付きベッドシステムは、図９に示すように前方部３と後方部５に分割可能なマット２を備え、前方部３が患者である使用者の上半身を支持しつつ水平状態から正立状態に移動可能であり、前記前方部３と後方部５との分割部の下方に、便器２０が配置されたシステムである。
【０００４】
そして、前記マット２の前方部３において、正立時に前記患者である使用者の上半身を保持する肘掛１２を設けたものである。
そして、マット２の前方部３を前方に引出すとともに、マット２の後方部５の前部６の端部を上方に引上げることにより、マット２の前方部３より現れた便座２８の上に、患者である使用者の臀部を載せて排便をするようにしたトイレ付きベッドシステムである。
【０００５】
【発明が解決しようとする課題】
前記図９に示すトイレ付きベッドシステムは、排便終了後マット２の前方部３と後方部５を水平状態に戻し、マット２の前方部３の後端とマット２の後方部５の前端を当接させようとすると、使用者の臀部がマット２の前方部３の後端とマット２の後方部５の前端の間に挟まれるおそれがある。
【０００６】
本発明は、前記事項に鑑みなされたものであり、排便終了後等にマット２の前方部３と後方部５を元の状態に戻すとき、使用者の臀部がマット２の後端と前端の間に挟まれないようにすることを課題とする。
【０００７】
また、使用者が安楽で安定した姿勢により排便に伴う動作を行えるベッドシステムを提供することを課題とする。
【０００８】
【課題を解決するための手段】
第１の発明は、前方部３と後方部５に分割可能なマット２を備え、前方部３が使用者の上半身を支持しつつ水平状態から傾斜した正立状態に移動可能であり、前記前方部３と後方部５の下方に便器２０が配置された排便機構付ベッドシステムにおいて、便器２０に便座支持機構２９を配置し、この便座支持機構２９に設置した便座２８を上昇させて、便座２８に座った使用者をマット２の前方部３に沿って上方に移動させるように形成し、上昇する便座２８に合わせて、突出した肘掛１２をこれが上昇するように移動させる力が加えられるようにした。
【００１１】
第２の発明は、ベッド基台１の上に、前方部３と後方部５に分割可能なマット２を備え、前方部３が使用者の上半身を支持しつつ水平状態から傾斜した正立状態に移動可能であり、前記前方部３と後方部５の下方に便器２０が配置された排便機構付ベッドシステムにおいて、便器２０内に配置した便座支持機構２９は、基部アーム３０の基部３１をベッド基台１に、所定の角度範囲，所定の速度で回動可能で、所定の位置に停止できるように形成し、基部アーム３０の先端部に湾曲アーム３３の基端部３４を、所定の角度範囲，所定の速度で回動可能で、所定の位置で停止できるように形成し、湾曲アーム３３の先端には便座２８を設け、マット２の前方部３に起伏可能に設けた肘掛１２は、マット２の前方部３に沿って上方に移動する便座２８の速度に合った速度で上昇できるように形成して排便機構付ベッドシステムとした。
【００１２】
【発明の実施の形態】
以下図に基いて本発明の実施の形態の説明をする。図１から図８は本発明の実施の形態の説明用の図である。
【００１３】
この実施の形態の排便機構付ベッドシステムは、図１に示すように、脚７で支持された基台１を備え、この基台１の上に、前方部３と後方部５に分割可能なマット２を備えており、マット２の前方部３の後方の上端部には、図８に示すように、前方部３の後部４が折曲げ可能に接続してある。
【００１４】
そして、図７及び図８に示すように、マット２の後方部５の前方には前部６が上下に少し折曲げられるようにして接続してある。
前記マット２の前方部３は、図３から図５に示すように、使用者の上半身を支持しつつ水平状態から、少し傾斜した正立状態に、図示してない公知のモータにより移動可能である。そして、前記マット２の前方部３と後方部５の下方には、便器２０が配置されている。
【００１５】
便器２０内には、便座支持機構２９を配置し、この便座支持機構２９に設置した便座２８を、図５の状態から上昇させて、便座２８に座った使用者をマット２の前方部３に沿って上方に移動させるように形成して排便機構付ベッドシステムとしてある。
【００１６】
そして、便器２０内に配置した便座支持機構２９は、図示してない装置の指令により正逆回転可能なアーム回動用モータ３６で、基部アーム３０の基部３１をベッド基台１に、所定の角度範囲・所定の速度で回動可能で、所定の位置に停止できるように形成してある。
【００１７】
基部アーム３０の先端部には、湾曲アーム３３の基端部３４を、所定の角度範囲・所定の速度で回動可能で所定の位置で停止できるように形成してあり、湾曲アーム３３の先端には便座２８を設けてある。
【００１８】
そして、湾曲アーム３３と便座２８の接続部は、蝶番３５を介して接続するようにも形成できる。
図３に示すように、マット２の上に使用者が横になっている状態で、マット２の後方部５を、図４から図５に示すように後方に引出すとともに、マット２の前方部３を水平状態から少し傾斜した正立状態に移動させると、使用者は図５、及び図６に点線で示した状態となり、排便可能な状態となる。
【００１９】
ところが、排便終了後マット２の前方部３を水平状態に戻し、マット２の後方部５を押込むと、マット２の前方部３の後部４の端部と、マット２の後方部５の前部６の端部の間に、使用者の臀部が挟まれるおそれがある。これは、排便中に使用者が自重によって便座２８側に深く下がってくることにもよる。
【００２０】
そこで、この発明の実施の形態では、便座２８を設けた湾曲アーム３３を基端部３４で回動して、便座２８を上昇させ、便座２８に座った使用者をマット２の前方部３に沿って上方に移動させて、マット２の前方部３の後部４の端部と、マット２の後方部５の前部６の端部の間に使用者の臀部が挟まれないようにしている。なお、便座２８の上昇は、排便終了後のみならず、排便前や排便中に上昇させて、使用者の姿勢を直しながら排便を継続させるようにすることもできる。
【００２１】
ところで、便座２８に座った使用者を、マット２の前方部３に沿って上方に移動するようにしたのみでは、腰部に床ずれ等のある使用者は、床ずれ等のある部分がマット２の表面に接触して痛みが発生する。
【００２２】
そこで、この実施の形態は、湾曲アーム３３を、湾曲アーム３３の基端部３４に連設した基部アーム３０の基部３１で回動して、マット２の前方部３に沿って上昇する便座２８に、マット２の前方部３から離れる向きの力が加えられるように形成して、使用者の床ずれ等のある腰部が、マット２に強く接触しないように形成してある。
【００２３】
そして、マット２の前方部３に起伏可能に設けた肘掛１２は、マット２の前方部３に沿って上方に移動する便座２８の移動速度に合った速度で上昇できるように形成してあり、使用者に加わる力を、使用者の臀部と肘の２箇所で分担している。
【００２４】
【発明の効果】
便座２８を上昇させて便座２８に座った使用者をマット２の前方部３に沿って上方に移動させるように形成した第１の発明は、使用者の臀部が上方に移動しているので、マット２の前方部３と後方部５を、水平状の元の位置に戻したとき、マット２の前方部３と後方部５の間に使用者の臀部が挟まれるのを防ぐことができる。また、自重により深く下がった使用者の姿勢を、便座２８を上昇させて矯正することにより、使用者は安楽で安定した姿勢にて排便及び排便後の動作に臨むことができる。さらに、使用者の姿勢を直した後にマットを水平状態に復帰させることにより、使用者はマットの後方寄りにずれることなく、元の位置に容易に戻ることができる。
【００２５】
上昇する便座２８にマット２の前方部３から離れる向きの力が加えられるように形成した第２の発明は、腰部に床ずれ等の傷害のある使用者が使用しても、傷害部にマット２が強く接触するのを防ぐことができるので、使用者の傷害部を守ることができる。
【００２６】
上昇する便座２８に合わせて、突出した肘掛１２に上向きの力が加えられるように形成した第３の発明と第４の発明は、使用者を上昇させる力を、便座２８と肘掛１２の２箇所で分担しているので、使用者を上昇させるために臀部に大きな力が加えられるのを防いでいる。
【００２７】
そして、第５の発明は、第１から第４の発明の奏する発明の効果を全て奏するものである。
【図面の簡単な説明】
【図１】本発明の一実施の形態の説明用の一部破断した側面図
【図２】本発明の一実施の形態の説明用の平面図
【図３】本発明の一実施の形態の説明用のマットの上に使用者が横になった状態を示す図
【図４】本発明の一実施の形態の説明用のマットの後方部が引出された状態を示す図
【図５】本発明の一実施の形態の説明用のマットの前方部が正立した状態を示す図
【図６】本発明の一実施の形態の説明用の図で便座が使用者の臀部を押上げる状態を示す図
【図７】本発明の一実施の形態の説明用の図でマットを水平状態に戻す過程を示す図
【図８】本発明の一実施の形態の説明用の図で使用者が食事等をし易い状態にマットを移動させた状態を示す図
【図９】従来例の説明用の図
【符号の説明】
１  ベッド基台
２  マット
３  前方部
４  後部
５  後方部
６  前部
７  脚
１２  肘掛
１３  肘掛移動機構
１４  肘掛収納溝
２０  便器
２１  洗浄水供給管
２２  排水ポンプ
２８  便座
２９  便座支持機構
３０  基部アーム
３１  基部
３２  アーム回動機構
３３  湾曲アーム
３４  基端部
３５  蝶番
３６  アーム回動機構用モータ
【図１】
0004410356.tif 000002
【図２】
0004410356.tif 000003
【図３】
0004410356.tif 000004
【図４】
0004410356.tif 000005
【図５】
0004410356.tif 000006
【図６】
0004410356.tif 000007
【図７】
0004410356.tif 000008
【図８】
0004410356.tif 000009
【図９】
0004410356.tif 000010